【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
第１及び第２の側面パネルを含む上部ハウジングと、
第１の内側プレート及び第１の外側プレートの少なくとも一方を含み、前記第１の側面パネルに固定されて前記第１の側面パネルから下方向に延在する第１の継手アセンブリと、
第２の内側プレート及び第２の外側プレートの少なくとも一方を含み、前記第２の側面パネルに固定されて前記第２の側面パネルから下方向に延在するする第２の継手アセンブリと、
底部と第１及び第２の側壁とを含み、棚内部を画定するように前記上部ハウジングと協働するバケットと、
前記バケット及び前記第１の継手アセンブリと動作可能に協働せしめられる第１の回転軸、及び、前記バケット及び前記第２の継手アセンブリと動作可能に協働せしめられる第２の回転軸と、
を具備する航空機収納棚であって、
前記第１及び第２の回転軸は、回転軸に沿って軸方向に整列され、
前記バケットは開位置と閉位置との間を前記上部ハウジングに関して前記回転軸の周りを回転する、
ことを特徴とする航空機収納棚。
【請求項２】
前記バケットの前記第１の側壁に回転可能に連結された第１の端部及び前記第１の側面パネルに回転可能に連結された第２の端部を有する第１の連結ユニットと、
前記バケットの前記第２の側壁に回転可能に連結された第１の端部及び前記第２の側面パネルに回転可能に連結された第２の端部を有する第２の連結ユニットと、
をさらに具備し、
前記第１及び第２の連結ユニットは、前記バケットが前記開位置へ回転するときの制動及び前記バケットが前記閉位置へ回転するときの補助の一方又は両方を提供する、
ことを特徴とする請求項１に記載の航空機収納棚。
【請求項３】
前記第１の継手アセンブリは第１の内側プレート及び第１の外側プレートの両方を含み、
前記第１の回転軸は、前記第１の内側プレートと前記第１の外側プレートとの間を延在し、
前記第２の継手アセンブリは第２の内側プレート及び第２の外側プレートの両方を含み、
前記第２の回転軸は、前記第２の内側プレートと前記第２の外側プレートとの間を延在し、
前記第１の連結ユニットは前記第１の内側プレートと前記第１の外側プレートとの間に位置させられ、
前記第２の連結ユニットは前記第２の内側プレートと前記第２の外側プレートとの間に配置される、
ことを特徴とする請求項２に記載の航空機収納棚。
【請求項４】
前記第１及び第２の回転軸の少なくとも一方は、前記第１及び第２の回転軸の少なくとも一方と協働せしめられる補助ばねを含み、
前記補助ばねは、前記バケットが前記開位置へ回転させられるときに予負荷される、
ことを特徴とする請求項１に記載の航空機収納棚。
【請求項５】
前記補助ばねは、前記第１及び第２の回転軸に同軸のコイルスプリングである、
ことを特徴とする請求項４に記載の航空機収納棚。
【請求項６】
第１及び第２の側面パネルを含む上部ハウジングであって、前記第１及び第２の側面パネルはそれぞれ底縁を含む上部ハウジングと、
棚内部を画定するように前記上部ハウジングと協働する前記上部ハウジングに回転可能に連結されるバケットであって、底部と前記底部から上方向に延在する第１及び第２の対向する側壁とを含み、前記バケットの前記第１及び第２の側壁はそれぞれ上縁を含むバケットと、
前記バケットの前記第１の側壁と動作可能に協働せしめられる第１の枢支機構と、
前記バケットの前記第２の側壁と動作可能に協働せしめられる第２の枢支機構と、
を具備する航空機収納棚であって、
前記バケットは開位置と閉位置との間を前記上部ハウジングに関して回転軸の周りを回転し、前記閉位置において、前記バケットの前記第１の側壁の前記上縁の少なくとも一部は前記第１の側面パネルの前記底縁に当接し、前記バケットの前記第２の側壁の前記上縁の少なくとも一部は前記第２の側面パネルの前記底縁に当接する、
ことを特徴とする航空機収納棚。
【請求項７】
第１の内側プレート及び第１の外側プレートを含む第１の継手アセンブリをさらに具備し、
第２の内側プレート及び第２の外側プレートを含む第２の継手アセンブリをさらに具備し、
前記第１の継手アセンブリは前記第１の側面パネルに固定されて前記第１の側面パネルから下方向に延在し、
前記第２の継手アセンブリは前記第２の側面パネルに固定されて前記第２の側面パネルから下方向に延在し、
前記第１の枢支機構は前記第１の継手アセンブリと動作可能に協働せしめられ、
前記第２の枢支機構は前記第２の継手アセンブリと動作可能に協働せしめられる、
ことを特徴とする請求項６に記載の航空機収納棚。
【請求項８】
前記第１の枢支機構は、前記バケットの前記第１の側壁を通って前記第１の内側及び外側プレートの間を延在し、
前記第２の枢支機構は、前記バケットの前記第２の側壁を通って前記第２の内側及び外側プレートの間を延在する、
ことを特徴とする請求項７に記載の航空機収納棚。
【請求項９】
前記バケットの前記第１の側壁に回転可能に連結された第１の端部及び前記第１の側面パネルに回転可能に連結された第２の端部を有する第１の連結ユニットと、
前記バケットの前記第２の側壁に回転可能に連結された第１の端部及び前記第２の側面パネルに回転可能に連結された第２の端部を有する第２の連結ユニットと、
をさらに具備し、
前記第１及び第２の連結ユニットは、前記バケットが前記開位置へ回転するときの制動及び前記バケットが前記閉位置へ回転するときの補助の一方又は両方を提供する、
ことを特徴とする請求項７に記載の航空機収納棚。
【請求項１０】
前記第１の連結ユニットの少なくとも一部は前記第１の内側及び外側プレートの間に位置させられ、
前記第２の連結ユニットの少なくとも一部は前記第２の内側及び外側プレートの間に配置される、
ことを特徴とする請求項９に記載の航空機収納棚。
【請求項１１】
前記バケットの前記底部は、前記バケットが前記閉位置にあるときに前記上部ハウジングの前側底縁に当接する上縁を含む、
ことを特徴とする請求項６に記載の航空機収納棚。
【請求項１２】
第１及び第２のラッチアセンブリをさらに具備し、
前記第１のラッチアセンブリは前記第１の側面パネル及び前記バケットの前記第１の側壁と協働せしめられ、
前記第２のラッチアセンブリは前記第２の側面パネル及び前記バケットの前記第２の側壁と協働せしめられる、
ことを特徴とする請求項６に記載の航空機収納棚。
【請求項１３】
前記第１のラッチアセンブリは第１のフック部及び第１のストライカ部を含み、前記第１のフック部及び前記第１のストライカ部の一方は前記第１の側面パネルと協働せしめられ、前記第１のフック部及び前記第１のストライカ部の他方は前記バケットの前記第１の側壁と協働せしめられ、
前記第２のラッチアセンブリは第２のフック部及び第２のストライカ部を含み、前記第２のフック部及び前記第２のストライカ部の一方は前記第２の側面パネルと協働せしめられ、前記第２のフック部及び前記第２のストライカ部の他方は前記バケットの前記第２の側壁と協働せしめられる、
ことを特徴とする請求項１０に記載の航空機収納棚。
【請求項１４】
前記バケットの前記底部は前記底部の外側表面に構成された閉鎖チャネルを含み、前記閉鎖チャネルは、閉鎖面を含む、
ことを特徴とする請求項６に記載の航空機収納棚。
【請求項１５】
前記上部ハウジングはストッパを含み、前記バケットの前記底部は前記バケットが前記開位置にあるときに前記ストッパに当接する後側縁を含む、
ことを特徴とする請求項６に記載の航空機収納棚。
【請求項１６】
第１及び第２の側面パネルを含む上部ハウジングと、
底部と第１及び第２の側壁とを含むバケットであって、棚内部を画定するように前記上部ハウジングと協働するバケットと、
第１の内側プレート及び第１の外側プレートの少なくとも一方を含み、前記上部ハウジングの前記第１の側面パネルと前記バケットの前記第１の側壁との間を延在する第１の継手アセンブリと、
第２の内側プレート及び第２の外側プレートの少なくとも一方を含み、前記上部ハウジングの前記第２の側面パネルと前記バケットの前記第２の側壁との間を延在する第２の継手アセンブリと、
前記バケット及び前記第１の継手アセンブリと動作可能に協働せしめられる第１の枢支機構と、
前記バケット及び前記第２の継手アセンブリと動作可能に協働せしめられる第２の枢支機構と、を具備する航空機収納棚であって、
前記バケットは、開位置と閉位置との間を前記上部ハウジングに関して回転軸の周りを回転する、
ことを特徴とする航空機収納棚。
【請求項１７】
前記バケットの前記第１の側壁に回転可能に連結された第１の端部及び前記第１の側面パネルに回転可能に連結された第２の端部を有する第１の連結ユニットと、
前記バケットの前記第２の側壁に回転可能に連結された第１の端部及び前記第２の側面パネルに回転可能に連結された第２の端部を有する第２の連結ユニットと、
をさらに具備し、
前記第１及び第２の連結ユニットは、前記バケットが前記開位置へ回転するときの制動及び前記バケットが前記閉位置へ回転するときの補助の一方又は両方を提供する、
ことを特徴とする請求項１６に記載の航空機収納棚。
【請求項１８】
前記第１の継手アセンブリは前記第１の内側プレート及び前記第１の外側プレートの両方を含み、前記第１の枢支機構は、前記第１の内側プレートと前記第１の外側プレートの間を延在し、
前記第２の継手アセンブリは前記第２の内側プレート及び前記第２の外側プレートの両方を含み、前記第２の枢支機構は、前記第２の内側プレートと前記第２の外側プレートの間を延在し、
前記第１の連結ユニットは、少なくとも部分的に、前記第１の内側プレートと前記第１の外側プレートとの間に位置させられ、
前記第２の連結ユニットは、少なくとも部分的に、前記第２の内側プレートと前記第２の外側プレートとの間に配置される、
ことを特徴とする請求項１７に記載の航空機収納棚。
【請求項１９】
前記第１及び第２の連結ユニットの少なくとも一方は、前記第１及び第２の連結ユニットの少なくとも一方と協働せしめられる補助ばねを含み、前記補助ばねは、前記バケットが前記開位置へ回転させられるときに予負荷される、
ことを特徴とする請求項１８に記載の航空機収納棚。
【請求項２０】
前記上部ハウジングはストッパを含み、前記バケットの底部は前記バケットが前記開位置にあるときに前記ストッパに当接する後側縁を含む、
ことを特徴とする請求項１６に記載の航空機収納棚。